(57)【要約】      （修正有）【課題】容易にサンゴ片を着生させるとともに、食害が生じ難いサンゴ移植体及び、ブロック体、並びにサンゴ移植株の養殖方法及びサンゴの養殖方法を提供する。【解決手段】サンゴ移植体１０を、アルギニンを含有するコンクリート製のコンクリート基台１１と、上面１１ａに片状のサンゴ片２を保持する取付けバンド１３と、海底から離間させてコンクリート基台１１を配置する下部鉄筋１２ｂで構成した。【選択図】図２
2019017283.tif 000002
【特許請求の範囲】
【請求項１】
アルギニンを含有するコンクリート製の基台と、
基台表面に片状のサンゴ片を保持するサンゴ保持手段と、
海底から離間させて前記基台を配置する離間手段が備えられた
サンゴ移植体。
【請求項２】
前記サンゴ保持手段で保持された前記サンゴ片の周囲に突出する突出体が備えられた
請求項１に記載のサンゴ移植体。
【請求項３】
前記離間手段は、前記基台より少なくとも下方に延びる棒部材で構成された
請求項１または２に記載のサンゴ移植体。
【請求項４】
前記離間手段は、海面に浮かぶ浮体から前記基台を吊下げる吊り部材で構成された
請求項１または２に記載のサンゴ移植体。
【請求項５】
前記基台を構成するコンクリート組成物中に前記アルギニンが３ｗｔ％〜１０ｗｔ％含有された
請求項１乃至４のうちいずれかに記載のサンゴ移植体。
【請求項６】
前記基台上面から上方に突出する把持部が備えられた
請求項１乃至５のうちいずれかに記載のサンゴ移植体。
【請求項７】
前記サンゴ保持手段が、
前記基台上面に植設され、前記サンゴ片を前記基台上面に固定するとともに、固定状態においてバックルからバンドの余長部分が延出する結束バンドで構成された
請求項１乃至６のうちいずれかに記載のサンゴ移植体。
【請求項８】
海中に配置され、請求項７に記載のサンゴ移植体を挿入可能な挿入凹部が上面側に設けられた
サンゴ養殖ブロック。
【請求項９】
請求項７に記載のサンゴ移植体の前記サンゴ保持手段で前記サンゴ片を保持したサンゴ移植株と、
請求項８に記載のサンゴ養殖ブロックとで構成され、
前記サンゴ移植株が前記挿入凹部に挿入された
サンゴ養殖体。
【請求項１０】
アルギニンを含有するコンクリート製の基台における基台表面に設けられたサンゴ保持手段でサンゴ片を前記基台表面に固定するとともに、前記海底から前記基台を離間させて前記サンゴ片を育成する
サンゴ移植株の養殖方法。
【請求項１１】
前記サンゴ保持手段で保持された前記サンゴ片の周囲に突出体が突出する
請求項１０に記載のサンゴ移植株の養殖方法。
【請求項１２】
前記基台より少なくとも下方に延びる棒部材を前記海底に挿入して前記海底から離間させる
請求項１０または１１に記載のサンゴ移植株の養殖方法。
【請求項１３】
海面に浮かぶ浮体から吊り部材で前記基台を吊下げて前記海底より離間させる
請求項１０または１１に記載のサンゴ移植株の養殖方法。
【請求項１４】
前記基台を構成するコンクリート組成物中に前記アルギニンを３ｗｔ％〜１０ｗｔ％含有する
請求項１０乃至１３のうちいずれかに記載のサンゴ移植株の養殖方法。
【請求項１５】
前記サンゴ保持手段を基台上面に植設された結束バンドで構成し、
前記サンゴ片を前記基台上面に固定する固定状態において、バックルからバンドの余長部分が延出する
請求項１０乃至１４のうちいずれかに記載のサンゴ移植株の養殖方法。
【請求項１６】
請求項１５に記載のサンゴ移植株の養殖方法で養殖した前記サンゴ移植株における前記基台上面から上方に突出する把持部を把持して前記サンゴ移植株を海底に設置したブロック体の上面側に設けられた挿入凹部に挿入して前記サンゴを育成する
サンゴの養殖方法。
【発明の詳細な説明】
【技術分野】
【０００１】
この発明は、例えば、海中においてサンゴを養殖するためのサンゴ移植体及び、ブロック体、並びにサンゴ移植株の養殖方法及びサンゴの養殖方法に関する。
【背景技術】
【０００２】
昨今、サンゴ礁の保全や再生のために、サンゴの移植や養殖が多く取り組まれており、その方法としては、サンゴが産卵した卵が孵化した幼生を基盤に着底させるとともに増殖させる有性生殖を利用した方法や、サンゴの片を基盤に活着させる無性生殖を利用したいわゆるクローン養殖などがある。
【０００３】
しかし、いわゆるクローン養殖方法では、岩やコンクリートブロックなどに穴をあけ、この穴にサンゴの片を差し込んで水中接着剤で固定するため非常に手間がかかるという問題があり、例えば、特許文献1では、基盤に支持棒を設け、支持棒に対して、サンゴ片を結束バンドで固定することで容易に活着できるとされている。
【０００４】
しかし、特許文献１に記載のサンゴ養生ブロックでは、海底にブロックを設置して、サンゴ片を活着させて、そのまま育成するため、例えばオニヒトデなどによる食害が生じ、十分にサンゴを育成することができなかった。
【先行技術文献】
【特許文献】
【０００５】
【特許文献１】特開２０１１−１２５２３９号公報
【発明の概要】
【発明が解決しようとする課題】
【０００６】
そこで本発明は、容易にサンゴ片を基台に活着させるとともに、食害が生じ難いサンゴ移植体及び、ブロック体、並びにサンゴ移植株の養殖方法及びサンゴの養殖方法を提供することを目的とする。
【課題を解決するための手段】
【０００７】
この発明は、アルギニンを含有するコンクリート製の基台と、基台表面に片状のサンゴ片を保持するサンゴ保持手段と、海底から離間させて前記基台を配置する離間手段が備えられたサンゴ移植体であることを特徴とする。
【０００８】
またこの発明は、アルギニンを含有するコンクリート製の基台における基台表面に設けられたサンゴ保持手段でサンゴ片を前記基台表面に固定するとともに、前記海底から前記基台を離間させて前記サンゴ片を育成するサンゴ移植株の養殖方法であることを特徴とする。
【０００９】
この発明により、容易にサンゴ片を前記基台に活着させるとともに、食害を生じさせることなく、サンゴの移植株を育成することができる。  
詳述すると、基台表面に片状のサンゴ片を保持するサンゴ保持手段を備えているため、基台表面にサンゴ片を容易に取り付けることができる。また、基台はアルギニンを含有するコンクリート製であるため、サンゴ保持手段によって基台表面に取り付けられたサンゴ片を、含有するアルギニンによってより確実にコンクリート表面に活着させることができる。
【００１０】
さらに、このようにして表面にサンゴ片が活着した基台を海底から離間した状態で海中に配置するため、例えばオニヒトデなどによる食害が生じることなく、サンゴ片を育成して、サンゴ移植株を効率よく形成することができる。
【００１１】
この発明の態様として、前記サンゴ保持手段で保持された前記サンゴ片の周囲に突出する突出体が備えられてもよい。  
この発明により、食害をより防止することができる。
【００１２】
詳述すると、前記サンゴ保持手段で保持された前記サンゴ片の周囲において突出体が突出するため、突出体が食害の原因となる魚からのバリアとなり、育成するサンゴ片の食害をより防止することができる。
【００１３】
またこの発明の態様として、前記離間手段は、前記基台より少なくとも下方に延びる棒部材で構成されてもよく、また、前記基台より少なくとも下方に延びる棒部材を前記海底に挿入して前記海底から離間させてもよい。  
この発明により、簡単な構成及び作業にて確実に前記基台を海底より離間して前記サンゴを育成することができる。
【００１４】
またこの発明の態様として、前記離間手段は、海面に浮かぶ浮体から前記基台を吊下げる吊り部材で構成されてもよく、また、海面に浮かぶ浮体から吊り部材で前記基台を吊下げて前記海底より離間させてもよい。  
この発明により、簡単な構成及び作業にて確実に前記基台を海底より離間して前記サンゴを育成することができる。また、海面に浮かぶ浮体から吊り部材で吊下げられた前記基台には海中の流れによって適度の揺れが作用するため、魚による食害を防止することができる。  
上記浮体は、筏やブイであってもよく、直接的あるいは間接的に筏やブイにから吊下げられてもよい。
【００１５】
またこの発明の態様として、前記基台を構成するコンクリート組成物中に前記アルギニンが３ｗｔ％〜１０ｗｔ％含有されてもよい。  
この発明により、より確実にサンゴ片を基台に活着させるとともに、サンゴ片の成長を促進することができる。
【００１６】
詳述すると、サンゴは動物プランクトンを摂取したり、共生藻の光合成産物（アミノ酸など）を栄養として活着・成長するため、前記基台を構成するコンクリート組成物中に含有する３ｗｔ％〜１０ｗｔ％の前記アルギニンによって、前記サンゴ片は前記基台に活着しやすくなるとともに、成長が促進される。これに対し、前記基台を構成するコンクリート組成物中に含有する前記アルギニンの含有量が３ｗｔ％未満である場合は十分に上述の効果を得ることができず、１０ｗｔ％を超える場合は基台の強度を確保することができなくなる。このように、前記基台を構成するコンクリート組成物中に３ｗｔ％〜１０ｗｔ％の前記アルギニンを含有することで、サンゴ片が活着しやすく、耐久性のあるサンゴ移植体を構成することができる。
【００１７】
またこの発明の態様として、前記サンゴ保持手段が、前記基台上面に植設され、前記サンゴ片を前記基台上面に固定するとともに、固定状態においてバックルからバンドの余長部分が延出する結束バンドで構成されてもよく、また、前記サンゴ保持手段を基台上面に植設された結束バンドで構成し、前記サンゴ片を前記基台上面に固定する固定状態において、バックルからバンドの余長部分が延出してもよい。
【００１８】
この発明により、食害をより防止できるとともに、取扱い性を向上することができる。  
詳述すると、前記サンゴ保持手段が結束バンドで構成されるため、サンゴ片を容易に基台上面に固定することができる。また、結束バンドは固定状態においてバックルからバンドの余長部分が延出されるため、余長部分が固定されたサンゴ片の近傍から延出されることとなり、食害の原因となる魚からのバリアとなるため、食害をより防止することができる。
【００１９】
なお、前記サンゴ保持手段のみならず前記突出体を結束バンドで構成してもよい。具体的には、前記基台上面に複数の結束バンドを植設し、そのいずれかの結束バンドで前記サンゴ片を保持してもよい。これにより、サンゴ片を保持する結束バンドは前記サンゴ保持手段として機能し、残りの結束バンドは、食害の原因となる魚からのバリアとなる突出体として機能することとなる。
【００２０】
またこの発明の態様として、前記基台上面から上方に突出する把持部が備えられてもよい。  
この発明により、サンゴ移植体の取り扱い性が向上する。  
【００２１】
詳述すると、前記基台や基台に取り付けられたサンゴ片に直接触れることなく、前記基台上面から上方に突出する把持部を把持してサンゴ片が固定された基台を海底から離間させて配置するなど取り扱い性を向上することができる。  
なお、把持部は、前記棒部材の延長部分で構成してもよいし、前記吊り部材で構成してもよく、さらには、前記棒部材や前記吊り部材と別部材で構成してもよい。
【００２２】
またこの発明は、海中に配置され、上述のサンゴ移植体を挿入可能な挿入凹部が上面側に設けられたサンゴ養殖ブロックであることを特徴とする。また、上述のサンゴ移植体の前記サンゴ保持手段で前記サンゴ片を保持したサンゴ移植株と、上述のサンゴ養殖ブロックとで構成され、前記サンゴ移植株が前記挿入凹部に挿入されたサンゴ養殖体であることを特徴とする。あるいは、上述のサンゴ移植株の養殖方法で養殖した前記サンゴ移植株における前記基台上面から上方に突出する把持部を把持して前記サンゴ移植株を海底に設置したブロック体の上面側に設けられた挿入凹部に挿入して前記サンゴを育成するサンゴの養殖方法であることを特徴とする
【００２３】
この発明により、サンゴ移植体にサンゴ片を活着させたサンゴ移植体を用いてサンゴを効率よく養殖することができる。  
詳述すると、活着し難いサンゴ片をブロックに活着させてサンゴを養殖する場合や、ブロック全体をサンゴ片が活着しやすいコンクリートで構成する場合に比べ、活着しやすく、食害が生じ難い基台にサンゴ片を活着させたサンゴ移植株をサンゴ養殖ブロックに装着するため、効率よくサンゴを養殖することができる。
【発明の効果】
【００２４】
この発明により、容易にサンゴ片を基台に活着させるとともに、食害が生じ難いサンゴ移植体及び、ブロック体、並びにサンゴ移植株の養殖方法及びサンゴの養殖方法を提供することができる。
【図面の簡単な説明】
【００２５】
【図１】サンゴ移植体の斜視図。
【図２】サンゴ片を装着したサンゴ移植体の斜視図。
【図３】サンゴ片を装着したサンゴ移植体の断面図。
【図４】サンゴ養殖用ブロックの斜視図。
【図５】サンゴ養殖方法のフローチャート。
【図６】サンゴ移植体の海底据付け状況の斜視図。
【図７】下部鉄筋を撤去したサンゴ移植株の説明図。
【図８】サンゴ養殖用ブロックの設置状況の斜視図。
【図９】サンゴ養殖用ブロックへのサンゴ移植株装着の説明図。
【図１０】別の態様でサンゴ片を装着したサンゴ移植体の斜視図。
【図１１】吊下げサンゴ移植体の説明図。
【図１２】吊下げサンゴ移植体の育成状況の概略図。
【発明を実施するための形態】
【００２６】
容易にサンゴ片を基台に活着させるとともに、食害が生じ難いサンゴ移植体を用いたサンゴの養殖方法について図１乃至図９とともに以下で説明する。  
図１はサンゴ移植体１０の斜視図を示し、図２はサンゴ片２を装着したサンゴ移植体１０の斜視図を示し、図３はサンゴ片２を装着したサンゴ移植体１０の断面図を示し、図４はサンゴ養殖用ブロック３０の斜視図を示し、図５はサンゴ養殖方法のフローチャートを示し、図６はサンゴ移植体１０の海底据付け状況の斜視図を示し、図７は下部鉄筋１２ｂを撤去したサンゴ移植株２０の説明図を示し、図８はサンゴ養殖用ブロック３０の設置状況の斜視図を示し、図９はサンゴ養殖用ブロック３０へのサンゴ移植株２０の装着についての説明図を示している。
【００２７】
詳しくは、図７（ａ）は下部鉄筋１２ｂを撤去したサンゴ移植体１０の底面側からの斜視図を示し、図７（ｂ）は下部鉄筋１２ｂを撤去したサンゴ移植体１０の底面側からの断面図を示している。なお、図７において撤去された下部鉄筋１２ｂを破線で示している。
【００２８】
また、図９（ａ）はサンゴ養殖用ブロック３０の装着凹部３２に下部鉄筋１２ｂを撤去したサンゴ移植体１０を装着する前の状態の斜視図を示し、図９（ｂ）はサンゴ養殖用ブロック３０の装着凹部３２に下部鉄筋１２ｂを撤去したサンゴ移植体１０を装着したサンゴ養殖体３０ａの斜視図を示している。
【００２９】
サンゴ片２を取り付けるとともに育成してサンゴ移植株２０を形成するサンゴ移植体１０は、コンクリート基台１１と、コンクリート基台１１の上面１１ａから上方に突出する上部鉄筋１２ａと、コンクリート基台１１の底面１１ｂから下方に突出する下部鉄筋１２ｂと、上面１１ａに設けられた複数の取付けバンド１３とで構成されている。
【００３０】
コンクリート基台１１は、平面視正方形状で所定の高さを有する直方体状のコンクリート製であり、平面視中央を高さ方向（上下方向）に鉄筋１２が貫通している。  
なお、コンクリート基台１１を構成するコンクリートは、コンクリート組成物中に生物誘引物質としてアルギニンが３ｗｔ％〜１０ｗｔ％含有されている。このようなコンクリートは、所定量のアルギニンが生コンクリートに混錬されており、生コンクリートの硬化初期において、生コンクリートの粘性を低下させる。そのため、生コンクリートのワーカビリィティが向上し、所定形状の型枠に対する充填性が向上し、所望の形状のコンクリート基台１１を構成することができる。
【００３１】
また、生コンクリートの硬化後はコンクリート表面及び内部が多孔質状となり、そのため、水に触れる表面積が多くなり、かつ、容易に水が浸透することによって、コンクリート全体から生体誘引物質であるアルギニンが環境中に流出しやすくなり、サンゴ片２の活着及び育成を促進することができる。
【００３２】
また、図３に示すように、コンクリート基台１１の平面視中央を高さ方向（上下方向）に貫通する貫通鉄筋１２において上面１１ａより上方に突出する部分を上部鉄筋１２ａとし、底面１１ｂより下方に突出する部分を下部鉄筋１２ｂとしているが、上部鉄筋１２ａと下部鉄筋１２ｂとを別体で構成してもよい。
【００３３】
取付けバンド１３は、バックル１４を端部に備えた固定側バンド１３ａと、バックル１４に挿入されて固定される挿入側バンド１３ｂとが、厚み方向に所定間隔を隔てるとともに、上方に向かって延出するように配置されている。
【００３４】
このように固定側バンド１３ａと挿入側バンド１３ｂとで構成される取付けバンド１３は、図３に示すように、樹脂製の結束バンドをＵ字状に曲げ返し、コンクリート基台１１の上面１１ａから曲げ返し部分を埋め込んで構成している。また、本実施例において、平面視正方形状の上面１１ａに対して対角線上に配置されるように、平面視中央の貫通鉄筋１２と、平面視正方形状の中心と各頂点を結ぶ４本の仮想線上に取付けバンド１３がそれぞれ配置されている。  
なお、固定側バンド１３ａと挿入側バンド１３ｂとを別体で構成し、コンクリート基台１１の上面１１ａに植設してもよいし、結束バンドでなく、例えば変形可能な針金や紐状体で構成してもよい。
【００３５】
このように各要素が構成されたサンゴ移植体１０に対して、サンゴ片２を取り付けることができる。  
詳述すると、サンゴの断片である適宜の長さ及び太さのサンゴ片２を、固定側バンド１３ａと挿入側バンド１３ｂとの間の上面１１ａに載置し、その外側を覆うように挿入側バンド１３ｂを先端からバックル１４に挿入して、固定側バンド１３ａと挿入側バンド１３ｂとでループ状を構成し、取付けバンド１３を締め付けていくことでサンゴ片２をコンクリート基台１１の上面１１ａに取り付けることができる。
【００３６】
このとき、取付けバンド１３を適宜の圧力で締め付けることによって、サンゴ片２は上面１１ａに対して適宜の接触圧力で接触することとなる。  
また、バックル１４に挿入されて締め付けられた挿入側バンド１３ｂは、つまり、サンゴ片２を締め付けた取付けバンド１３の余長部分は、上面１１ａに固定された２の上方において突出するような態様となる。
【００３７】
さらに、すべての取付けバンド１３に対してサンゴ片２を装着すると、コンクリート基台１１に対して４つのサンゴ片２を平面視中央に対して放射状に配置することができるが、例えば、図１０に示すように、４つの取付けバンド１３に対して２つの取付けバンド１３にサンゴ片２を取り付け、残りの取付けバンド１３がそのまま上方に延出されるようにしてもよい。
【００３８】
このようにサンゴ片２を上面１１ａに取り付けたサンゴ移植体１０を海中１００で育成したものをサンゴ移植株２０とする。  
次に、サンゴ移植株２０を用いて海中１００でサンゴを養殖するためのサンゴ養殖用ブロック３０について、図４とともに説明する。
【００３９】
サンゴ養殖用ブロック３０は、海底１１０に設置する消波ブロックであり、中心から仮想の正三角錐の各頂点に向かう方向の略六角錐台状の脚体３１を４本備えており、底面側の３本の脚体３１ａの上面側に、サンゴ移植株２０を挿入する装着凹部３２を設けている。
【００４０】
装着凹部３２は、サンゴ移植体１０を構成するコンクリート基台１１の平面視形状よりわずかに大きな開口を有するとともに、コンクリート基台１１の高さと略同一の深さ、あるいはわずかに浅い深さで形成された直方体形状の空間を形成している。
【００４１】
このように構成されたサンゴ移植体１０によるサンゴ移植株２０の形成方法、並びにサンゴ移植株２０及びサンゴ養殖用ブロック３０を用いたサンゴの養殖方法について以下で説明する。  
まず、サンゴ移植株２０を形成するために、上述したように、サンゴ移植体１０の上面１１ａに取付けバンド１３を用いてサンゴ片２を固定する（ステップｓ１）。
【００４２】
図６に示すように、サンゴ片２がコンクリート基台１１の上面１１ａに取り付けられたサンゴ移植体１０を、ダイバー（図示省略）によって海底１１０に据え付ける（ステップｓ２）。詳しくは、ダイバーがサンゴ移植体１０の上部鉄筋１２ａを把持して海中１００に潜り、海底１１０における所定箇所にサンゴ移植体１０を据え付ける。このとき、ダイバーは、サンゴ移植体１０同士が適宜の間隔を隔てるように、サンゴ移植体１０の下部鉄筋１２ｂを海底１１０に差し込んでサンゴ移植体１０を据え付ける。
【００４３】
このようにしてサンゴ片２が取り付けられたサンゴ移植体１０を海底１１０に据付けた状態で、サンゴ片２を海中１００で育成する（ステップｓ３）。海中１００において、上面１１ａに取り付けられたサンゴ片２は、コンクリート基台１１に含有する、生体誘引物質であるアルギニンによって上面１１ａに活着しやすく、安定して育成することができる。
【００４４】
これを、例えば、２〜３年などの育成期間が経過するまで継続し（ステップｓ４：ｎｏ）、育成期間経過後（ステップｓ４：Ｙｅｓ）、つまり活着したサンゴ片２が十分に育成され、サンゴ移植株２０として形成されると、ダイバーが潜ってサンゴ移植株２０を回収する（ステップｓ５）。なお、このサンゴ移植株２０の回収においても、ダイバーはサンゴ移植株２０のコンクリート基台１１より上方に突出する上部鉄筋１２ａを把持することで、下部鉄筋１２ｂが海底１１０に挿入されたサンゴ移植株２０を容易に回収することができる。
【００４５】
そして、回収したサンゴ移植株２０を、サンゴ養殖用ブロック３０で育成してサンゴを養殖するために、図７に示すように、まず、回収したサンゴ移植株２０の下部鉄筋１２ｂを撤去する（ステップｓ６）。
【００４６】
そのうえで、ダイバーによって、あらかじめ海底１１０に設置されたサンゴ養殖用ブロック３０（ステップｓ７：図８参照）の装着凹部３２に、下部鉄筋１２ｂが撤去されたサンゴ移植株２０を装着し（ステップｓ８：図９参照）、装着凹部３２に装着されたサンゴ移植株２０のコンクリート基台１１に活着したサンゴ片２を育成して（ステップｓ９）、サンゴを養殖することとなる。
【００４７】
なお、上述の説明では、コンクリート基台１１の平面視中央を貫通する貫通鉄筋１２が、コンクリート基台１１の上面１１ａより上方に突出して上部鉄筋１２ａを構成するとともに、底面１１ｂより下方に突出して下部鉄筋１２ｂを構成し、サンゴ移植体１０の海底１１０への据え付けにおいて、ダイバーが上部鉄筋１２ａを把持して、下部鉄筋１２ｂを海底１１０に挿入して据え付けたが、図１１に示すサンゴ移植体１０ａを、図１２に示すように、海面１２０に浮遊するブイ４０から吊下げてサンゴ片２を育成してサンゴ移植株２０ａを形成してもよい。
【００４８】
具体的には、サンゴ移植体１０ａは、図１１に示すように、サンゴ移植体１０と異なり、円環部１５ａを上端部に有する吊下げ鉄筋１５が平面視中央において、コンクリート基台１１の上面１１ａより突出しており、サンゴ移植体１０における貫通鉄筋１２が吊下げ鉄筋１５に代わる以外は、サンゴ移植体１０と同様の構成であり、その説明は省略する。
【００４９】
このように、吊下げ鉄筋１５を有するサンゴ移植体１０ａは、図１２に示すように、海面１２０に浮遊するブイ４０から吊下げられる。詳述すると、海面１２０において複数個のブイ４０が連結ロープ４１で連結されており、海中１００において、各ブイ４０から下方に吊下げロープ４２が垂れ下げられている。そして、吊下げ鉄筋１５を有するサンゴ移植体１０ａは、円環部１５ａによって吊下げロープ４２に取り付けられ、ブイ４０から吊下げられた状態で海中１００に配置されることとなる。この状態において、所定の育成期間が経過すると、サンゴ移植体１０ａのコンクリート基台１１に取り付けられたサンゴ片２は上面１１ａに活着するとともに育成され、サンゴ移植株２０ａを形成することができる。  
なお、サンゴ移植体１０ａのブイ４０からの吊下げは、海面１２０に浮かべた船などの上から行うことができる。
【００５０】
このように、サンゴ移植体１０，１０ａは、アルギニンを含有するコンクリート製のコンクリート基台１１と、上面１１ａに片状のサンゴ片２を保持する取付けバンド１３と、海底１１０から離間させてコンクリート基台１１を配置する下部鉄筋１２ｂ，吊下げ鉄筋１５が備えられており、アルギニンを含有するコンクリート製のコンクリート基台１１における上面１１ａに設けられた取付けバンド１３でサンゴ片２を上面１１ａに固定するとともに、海底１１０からコンクリート基台１１を離間させてサンゴ片２を育成するサンゴ移植株２０の養殖方法により、容易にサンゴ片２をコンクリート基台１１に活着させるとともに、食害を生じさせることなく、サンゴ移植株２０を育成することができる。
【００５１】
詳述すると、上面１１ａに片状のサンゴ片２を保持する取付けバンド１３を備えているため、コンクリート基台１１にサンゴ片２を容易に取り付けることができる。また、コンクリート基台１１はアルギニンを含有するコンクリート製であるため、取付けバンド１３によって上面１１ａに取り付けられたサンゴ片２を、含有するアルギニンによってより確実にコンクリート基台１１の上面１１ａに活着させることができる。
【００５２】
さらに、このようにして上面１１ａにサンゴ片２が活着したコンクリート基台１１を海底１１０から離間した状態で海中１００に配置するため、例えばオニヒトデなどによる食害が生じることなく、サンゴ片２を育成して、サンゴ移植株２０を効率よく形成することができる。
【００５３】
また、取付けバンド１３の挿入側バンド１３ｂは、取付けバンド１３で保持したサンゴ片２の周囲に突出するため、挿入側バンド１３ｂが食害の原因となる魚からのバリアとなり、育成するサンゴ片２の食害をより防止することができる。
【００５４】
また、図６に示すように、コンクリート基台１１より下方に延びる下部鉄筋１２ｂを海底１１０に挿入して海底１１０から離間させるため、簡単な構成及び作業にて確実にコンクリート基台１１を海底１１０より離間してサンゴを育成することができる。
【００５５】
また、図１２に示すように、サンゴ移植体１０ａは、海面に浮かぶブイ４０から円環部１５ａを介してコンクリート基台１１を吊下げ、海底１１０より離間させているため、簡単な構成及び作業にて確実にコンクリート基台１１を海底１１０より離間してサンゴを育成することができる。また、海面に浮かぶブイ４０から円環部１５ａで吊下げられたコンクリート基台１１には海中の流れによって適度の揺れが作用するため、魚による食害を防止することができる。
【００５６】
また、コンクリート基台１１を構成するコンクリート組成物中にアルギニンが３ｗｔ％〜１０ｗｔ％含有されているため、より確実にサンゴ片２をコンクリート基台１１に活着させるとともに、サンゴ片２の成長を促進することができる。
【００５７】
詳述すると、サンゴは動物プランクトンを摂取したり、共生藻の光合成産物（アミノ酸など）を栄養として活着・成長するため、コンクリート基台１１を構成するコンクリート組成物中に含有する３ｗｔ％〜１０ｗｔ％のアルギニンによって、サンゴ片２はコンクリート基台１１に活着しやすくなるとともに、成長が促進される。これに対し、コンクリート基台１１を構成するコンクリート組成物中に含有するアルギニンの含有量が３ｗｔ％未満である場合は十分に上述の効果を得ることができず、１０ｗｔ％を超える場合はコンクリート基台１１の強度を確保することができなくなる。このように、コンクリート基台１１を構成するコンクリート組成物中に３ｗｔ％〜１０ｗｔ％のアルギニンを含有することで、サンゴ片２が活着しやすく、耐久性のあるサンゴ移植体１０，１０ａを構成することができる。
【００５８】
また、上面１１ａに植設された取付けバンド１３でサンゴ片２を上面１１ａに固定する固定状態においてバックル１４から挿入側バンド１３ｂが延出しているため、食害をより防止できるとともに、取扱い性を向上することができる。
【００５９】
詳述すると、サンゴ片２を取付けバンド１３で容易に上面１１ａに固定することができるとともに、取付けバンド１３は固定状態においてバックル１４から挿入側バンド１３ｂが延出するため、余長部分が固定されたサンゴ片２の近傍から延出されることとなり、食害の原因となる魚からのバリアとなり、食害をより防止することができる。また、取付けバンド１３の締め付け力を調整することで、サンゴ片２の上面１１ａに対する接触圧力を所望の圧力に調整することができる。
【００６０】
また、上面１１ａから上方に突出する上部鉄筋１２ａ，吊下げ鉄筋１５が備えられているため、サンゴ移植体１０，１０ａの取り扱い性が向上する。  
詳述すると、コンクリート基台１１やコンクリート基台１１に取り付けられたサンゴ片２に直接触れることなく、上面１１ａから上方に突出する上部鉄筋１２ａ，吊下げ鉄筋１５を把持してサンゴ片２が固定されたコンクリート基台１１を海底１１０から離間させて据え付けるなど取り扱い性を向上することができる。
【００６１】
また、海中１００に配置され、上述のサンゴ移植体１０，１０ａを挿入可能な装着凹部３２が上面側に設けられたサンゴ養殖用ブロック３０，３０ａの装着凹部３２に、上述のサンゴ移植株２０の養殖方法で養殖したサンゴ移植株２０における上面１１ａから上方に突出する上部鉄筋１２ａ，吊下げ鉄筋１５を把持してサンゴ移植株２０を挿入してサンゴを育成するため、サンゴ移植体１０，１０ａにサンゴ片２を活着させたサンゴ移植体１０，１０ａを用いてサンゴを効率よく養殖することができる。
【００６２】
詳述すると、活着し難いサンゴ片２をブロックに活着させてサンゴを養殖する場合や、ブロック全体をサンゴ片２が活着しやすいコンクリートで構成とする場合に比べ、活着しやすく、食害が生じ難いコンクリート基台１１にサンゴ片２を活着させたサンゴ移植株２０をサンゴ養殖用ブロック３０に装着するため、効率よくサンゴを養殖することができる。
【００６３】
この発明の構成と、上述の実施形態との対応において、この発明の底部床版設置工程は底部床版設置・連結工程（ステップｓ３）に対応し、
以下同様に、
基台はコンクリート基台１１に対応し、
基台表面及び基台上面は上面１１ａに対応し、
サンゴ片はサンゴ片２に対応し、
サンゴ保持手段は取付けバンド１３，円環部１５ａに対応し、
海底は海底１１０に対応し、
離間手段は下部鉄筋１２ｂに対応し、
サンゴ移植体はサンゴ移植体１０，１０ａに対応し、
突出体及びバンドの余長部分は挿入側バンド１３ｂに対応し、
棒部材は下部鉄筋１２ｂに対応し、
浮体はブイ４０に対応し、
吊り部材は円環部１５ａに対応し、
把持部は上部鉄筋１２ａ，吊下げ鉄筋１５に対応し、
バックルはバックル１４に対応し、
結束バンドは取付けバンド１３に対応し、
サンゴ移植株は、サンゴ移植株２０に対応し、
海中は海中１００に対応し、
挿入凹部は装着凹部３２に対応し、
サンゴ養殖ブロックはサンゴ養殖用ブロック３０に対応し、
サンゴ養殖体はサンゴ養殖体３０ａに対応するが、
この発明は、上述の実施形態の構成のみに限定されるものではなく、多くの実施の形態を得ることができる。
【００６４】
例えば、上述の説明では、サンゴ移植体１０，１０ａにおける上部鉄筋１２ａ，吊下げ鉄筋１５を把持したが、上部鉄筋１２ａ，吊下げ鉄筋１５とは別部材であり、コンクリート基台１１より上方に突出する把持部材を設けてもよい。
【００６５】
また、吊下げ鉄筋１５を有するサンゴ移植体１０ａをブイ４０から吊下げたが、吊下げロープ４２に対して、複数のサンゴ移植体１０ａを直列状に並べてブイ４０から吊下げてもよいし、ブイ４０同士を連結する連結ロープ４１からサンゴ移植体１０ａを吊下げてもよい。さらには、ブイ４０ではなく、図示省略する筏や筏同士を連結する連結ロープから、吊下げ鉄筋１５を有するサンゴ移植体１０ａを吊下げてサンゴ片２を育成してもよい。
【００６６】
なお、取付けバンド１３における挿入側バンド１３ｂが延出して食害を防止したが、取付けバンド１３とは別の突出部材を設けて、食害の原因となる魚からのバリアとなって食害を防止してもよい。
【符号の説明】
【００６７】
２…サンゴ片
１０…サンゴ移植体
１０ａ…サンゴ移植体
１１…コンクリート基台
１１ａ…上面
１２ａ…上部鉄筋
１２ｂ…下部鉄筋
１３…取付けバンド
１３ｂ…挿入側バンド
１４…バックル
１５…吊下げ鉄筋
１５ａ…円環部
２０…サンゴ移植株
３０…サンゴ養殖用ブロック
３０ａ…サンゴ養殖体
３２…装着凹部
４０…ブイ
１００…海中
１１０…海底
【図１】
2019017283.tif 000003
【図２】
2019017283.tif 000004
【図３】
2019017283.tif 000005
【図４】
2019017283.tif 000006
【図５】
2019017283.tif 000007
【図６】
2019017283.tif 000008
【図７】
2019017283.tif 000009
【図８】
2019017283.tif 000010
【図９】
2019017283.tif 000011
【図１０】
2019017283.tif 000012
【図１１】
2019017283.tif 000013
【図１２】
2019017283.tif 000014